(57)【要約】【課題】片手を使用して容易に開封することができるパウチを提供すること。【解決手段】包装フィルム１を使用して密封すると共に、易剥離性のシール線ｂで内部を内容物収容室Ａと予備室Ｂとに区分して成るパウチ１００において、前記予備室に易破断線ｃを設ける。このパウチを片手で持ち、内容物収容室をパウチ外面側から押圧して、その内容物やヘッドスペースに含まれる充填気体の圧力によって前記易剥離性シール線を剥離し、次に、パウチを指で上下から挟み、二つ折りすることにより、易破断線で破断して開封することができる。【選択図】図１
2018016318.tif 000002
【特許請求の範囲】
【請求項１】
包装フィルムを使用して密封すると共に、易剥離性のシール線で内部を内容物収容室と予備室とに区分して成るパウチにおいて、
前記予備室に易破断線が設けられていることを特徴とするパウチ。
【請求項２】
前記易破断線が、パウチを二つ折りすることにより破断して、前記予備室とパウチ外部とを連通させる線であることを特徴とする請求項１に記載のパウチ。
【請求項３】
前記易破断線が、この易破断線から押し上げることにより破断して、前記予備室とパウチ外部とを連通させる線であることを特徴とする請求項１に記載のパウチ。
【請求項４】
前記易破断線が、包装フィルムの一部に設けられていることを特徴とする請求項１〜３のいずれかに記載のパウチ。
【請求項５】
前記包装フィルムが基材フィルムとシーラント層との積層体で構成されており、シーラント層が、シール温度によってシール強度の異なる性質を有する材質で構成されていることを特徴とする請求項１〜４のいずれかに記載のパウチ。
【請求項６】
包装フィルムを丸めて、天シール線、地シール線及び背シール線でシールすることにより密封されていることを特徴とする請求項１〜５のいずれかに記載のパウチ。
【発明の詳細な説明】
【技術分野】
【０００１】
本発明は片手で開封することのできるパウチに関する。このパウチは、例えば、一枚の包装フィルムを丸め、その端部同士をシールして背シール線を形成すると共に、上下両端をシールして密封したピロー形状のスティック包装に適する。
【背景技術】
【０００２】
開封容易なスティック包装のパウチは公知であり、例えば、特許文献１は、背シール線及び端縁に傷加工を施すと共に、これら傷加工を通ってパウチを横断するミシン目状の傷加工を施したピロータイプのパウチが記載されている。
【０００３】
このパウチにおいては、このパウチを片手で持ち、他方の手で天部を摘んで、前記端縁の傷加工からパウチを横断するように引裂き、天部を除去することにより、容易に開封することができる。いわゆる帽子切りである。
【先行技術文献】
【特許文献】
【０００４】
【特許文献１】特開２００８−１６２６０６号公報
【発明の概要】
【発明が解決しようとする課題】
【０００５】
しかしながら、このパウチにあっては、前述のとおり、片手でパウチを持って固定し、他方の手で天部を摘んで引裂くことを要する。このように、その開封の際には、両手を使用する必要があり、片手で開封することはできないという問題があった。
【０００６】
なお、このパウチにあっては、帽子切りして除去された天部が分離してゴミを生じるという問題もあった。
【０００７】
そこで、本発明は片手を使用して容易に開封することができるパウチを提供することを目的とする。
【課題を解決するための手段】
【０００８】
すなわち、請求項１に記載の発明は、包装フィルムを使用して密封すると共に、易剥離性のシール線で内部を内容物収容室と予備室とに区分して成るパウチにおいて、
前記予備室に易破断線が設けられていることを特徴とするパウチである。
【０００９】
また、請求項２に記載の発明は、前記易破断線が、パウチを二つ折りすることにより破断して、前記予備室とパウチ外部とを連通させる線であることを特徴とする請求項１に記載のパウチである。
【００１０】
次に、請求項３に記載の発明は、前記易破断線が、この易破断線から押し上げることにより破断して、前記予備室とパウチ外部とを連通させる線であることを特徴とする請求項１に記載のパウチである。
【００１１】
次に、請求項４に記載の発明は、前記易破断線が、包装フィルムの一部に設けられていることを特徴とする請求項１〜３のいずれかに記載のパウチである。
【００１２】
次に、請求項５に記載の発明は、前記包装フィルムが基材フィルムとシーラント層との
積層体で構成されており、シーラント層が、シール温度によってシール強度の異なる性質を有する材質で構成されていることを特徴とする請求項１〜４のいずれかに記載のパウチである。
【００１３】
次に、請求項６に記載の発明は、包装フィルムを丸めて、天シール線、地シール線及び背シール線でシールすることにより密封されていることを特徴とする請求項１〜５のいずれかに記載のパウチである。
【発明の効果】
【００１４】
本発明のパウチは、その内部が易剥離性のシール線で内容物収容室と予備室とに区分されているため、その一方、例えば内容物収容室をパウチ外面側から押圧することにより、その内容物やヘッドスペースに含まれる充填気体の圧力によって前記易剥離性シール線を剥離して、両部屋を連通させることができる。もちろん、この操作は片手で可能である。
【００１５】
次に、このパウチを指で上下から挟み、易破断線が外側になるように二つ折りすることにより、内容物収容室と予備室の両部屋に充満した内容物や充填気体の圧力によって易破断線で破断させ、予備室とパウチ外部とを連通させることができる。この操作も片手で可能である。例えば、片手の親指を予備室に押し当て、他の４本の指を内容物収容室に押し当てることにより、パウチを二つ折りして開封することができる。
【００１６】
また、パウチの内容物収容室を把持したまま、その一本の指を易破断線に掛けてそこから押し上げることにより、易破断線で包装フィルムを破断して開封することも可能である。この操作も、もちろん、片手で行うことができる。
【００１７】
なお、この易破断線が、包装フィルムの一部に設けられている場合には、開封によってパウチから分離するゴミが発生しない。
【図面の簡単な説明】
【００１８】
【図１】図１は本発明のパウチの具体例に係り、図１（ａ）はその正面図、図１（ｂ）は背面図、図１（ｃ）は縦断面の説明図である。
【図２】図２はこのパウチに使用する包装フィルムの断面説明図である。
【発明を実施するための形態】
【００１９】
以下、図面を参照して本発明を説明する。図１は本発明のパウチの具体例に係り、図１（ａ）はその正面図、図１（ｂ）は背面図、図１（ｃ）は縦断面の説明図である。また、図２はこのパウチに使用する包装フィルムの断面説明図である。
【００２０】
このパウチ１００は、一枚の包装フィルム１を丸め、その端部同士をシールして背シール線ａ１を形成すると共に、上下両端をシールして天シール線ａ２及び地シール線ａ３を形成することにより、内部を密封したピロー形状のスティック包装のパウチである。このパウチ１００の形状は任意でよいが、天地方向（上下方向）が左右方向に比較して十分に長い細長の長方形状であることが望ましい。
【００２１】
包装フィルム１は、図２に示すように、基材フィルム１１にシーラント層１２を積層した積層体で構成されており、その一部に易破断線ｃが設けられている。
【００２２】
基材フィルム１１は任意の材質のフィルムで構成されていてよく、単層のフィルム単体、あるいは多層構造のフィルムで構成されていてよい。例えば、ポリオレフィンフィルム単体、ポリエステルフィルム単体、ポリアミドフィルム単体である。また、これらを積層した多層構造の積層体でもよい。また、その層構成の一部にアルミニウム箔等の金属箔や、金属蒸着層、無機蒸着層等を有するものであってもよい。
【００２３】
シーラント層１２は、後述するように、背シール線ａ１、天シール線ａ２及び地シール線ａ３の他に、易剥離性のシール線ｂを形成する必要があることから、シール温度によってシール強度の異なる性質を有する材質で構成されていることが望ましい。このようなヒートシール層１２は、三井デュポンケミカル社から「ロック＆ピール」の名称で市販されている樹脂フィルムで構成することができる。
【００２４】
易破断線ｃは、後述するように、パウチを二つ折りすることにより破断したり、この易破断線から押し上げることにより破断するものである。図示のように、この易破断線ｃは基材フィルム１１を貫通するものであることが望ましい。この易破断線ｃは、基材フィルム１１にミシン目加工を施したり、あるいはレーザー光を照射することによって形成することができる。また、この易破断線ｃは包装フィルム１を貫通するものであってもよい。
【００２５】
そして、このパウチ１００には、このパウチ１００を横断するように、易剥離性シール線ｂが設けられており、この易剥離性シール線ｂによってパウチ１００の内部が内容物収容室Ａと予備室Ｂとに区分されている。そして、内容物収容室Ａには液体、粉体、粒体あるいはゼリー状等の内容物が収容されており、必要に応じてヘッドスペースに空気、窒素あるいは二酸化炭素等の気体を充填している。一方、予備室Ｂには何も収容されていない。なお、図１（ｃ）では、これら内容物収容室Ａと予備室Ｂと各シール線ａ１，ａ２，ａ３，ｂとの関係を分かり易くするため、包装フィルム１の形状を誇張して描いており、また、内容物の図示を省略している。
【００２６】
また、前記易破断線ｃは予備室Ｂに位置するように配置されている。内容物は内容物収容室Ａに収容されており、この内容物収容室Ａと予備室Ｂとは易剥離性シール線ｂで区分されているから、易破断線ｃが包装フィルム１を貫通している場合であっても、内容物が易破断線ｃを通して外パウチ１００外部に漏れることはない。
【００２７】
次に、この易破断線ｃは天シール線ａ２に平行に延在していることが望ましい。また、この易破断線ｃは、パウチ１００を横断するようにその全周に渡って延在していてもよいが、パウチ１００の一部に設けられていてもよい。この例は、図１（ａ）及び図１（ｂ）を対比して分かるように、背シールａ１のない表側の一部に易破断線ｃを設けた例である。このように易破断線ｃを包装フィルムの一部に設けた場合には、この易破断線ｃを破断した場合でも、パウチ１００から分離するゴミが発生しない。
【００２８】
このパウチ１００は次のように製造することができる。すなわち、まず、包装フィルム１を準備する。この包装フィルム１は、例えば、基材フィルム１１に易破断線ｃを設けた後、シーラント層１２を積層して製造することができる。この場合、易破断線ｃは基材フィルム１１を貫通し、シーラント層１２を貫通しないものとなる。また、基材フィルム１１にシーラント層１２を積層した後、易破断線ｃを設けて包装フィルム１を製造してもよい。このとき、ミシン目加工等の機械的手段によって易破断線ｃを設けると、基材フィルム１１とシーラント層１２とを含む包装フィルム１全体を貫通する易破断線ｃが得られる。また、炭酸ガスレーザーを使用して易破断線ｃを設けると、基材フィルム１１を貫通し、シーラント層１２を貫通しない易破断線ｃが得られる。
【００２９】
次に、こうして得られた包装フィルム１を丸め、その両端部同士をヒートシールして背シール線ａ１を形成する。こうして得られた包装フィルム１は上下端が開口した筒状である。そして、次に、天シール線ａ２及び易剥離性シール線ｂを形成する。最後に、開口した端部から内容物収容室Ａに内容物を充填すると共に、必要に応じて気体を充填し、続いて地シール線ａ３を形成することにより、このパウチ１００を製造することができる。な
お、前述のように、易剥離性シール線ｂを形成する際のシール温度は、その他のシール線ａ１，ａ２，ａ３を形成する際のシール温度に比較して低温であることが望ましい。シーラント層１２として三井デュポンケミカル社製ロック＆ピールを使用した場合には、１２０〜１６０℃のシール温度でヒートシールすることにより、易剥離性シール線ｂを形成することができる。また、１８０℃以上のシール温度でヒートシールすることにより、パウチ１００外面から内容物収容室Ａを押圧した場合にも剥離することのないシール線ａ１，ａ２，ａ３を形成することができる。
【００３０】
次に、このパウチ１００は、次のような方法で開封することができる。すなわち、まず、内容物収容室Ａをパウチ１００外面側から押圧して、内容物収容室Ａに収容された内容物や充填気体の圧力により、易剥離性シール線ｂで剥離し、この剥離によって内容物収容室Ａと予備室Ｂとを連通させる。次に、このパウチを指で上下から挟み、易破断線が外側になるように二つ折りして易破断線ｃを破断することにより、予備室Ｂとパウチ１００外部とを連通させる。あるいは易破断線ｃに指先を掛け、この易破断線ｃを破断することにより、予備室Ｂとパウチ１００外部とを連通させる。いずれの場合も、この開封作業は、パウチ１００を片手で持ったまま、その指を操作して可能である。そして、こうして開封したパウチ１００から、破断した易破断線ｃを通して内容物を取り出すことができる。
【符号の説明】
【００３１】
１００：パウチ
１：包装フィルム    １１：基材フィルム    １２：シーラント層
ａ１：背シール線    ａ２：天シール線    ａ３：地シール線
ｂ：易剥離性シール線
ｃ：易破断線
Ａ：内容物収容室    Ｂ：予備室
【図１】
2018016318.tif 000003
【図２】
2018016318.tif 000004